(57)【要約】【課題】  写真の自動撮影販売サービス以外に、提携広告主に関するインターネット広告を行なうインターネット接続サービス、ＷＥＢカメラによる遠隔監視サービス有する自動撮像装置を提供する。【解決手段】  自動撮像装置１００は、アクセス回線３００を介したインターネット９００通信手段を有し、撮像ボックス１１２内の操作／表示部１０４、あるいは、無線アクセスポイント１０８に接続するモバイル端末２０４からインターネット接続サービスを利用者に提供する際、ユーザ認証後の最初のＷＥＢアクセスにおいては、所定のインターネット広告を含むＷＥＢページをブラウザ表示する。ＷＥＢカメラ４００が撮影して配信する監視画像を管理センタ７００の操作端末７０４に表示して、画像データベース７０１に登録し、ＷＥＢカメラ４００に対するズーム倍率、アングル等の操作を操作端末７０４にて遠隔制御する。【選択図】図１
2006054752.tif 000002
【特許請求の範囲】
【請求項１】
ボックス内の被写体を該ボックス内に設けられた撮像手段で撮像し、該撮像手段で撮像した画像を印刷して写真取出口から排出する自動撮像装置において、
高速回線を経由してインターネットと通信を行う通信手段と、
前記ボックス内に設けられ、前記通信手段による前記インターネットとの通信により取得した画像を表示する表示手段と、
ユーザ操作を入力する操作入力手段と、
前記操作入力手段によるユーザ操作の入力に基づき前記通信手段による通信および前記表示手段による表示を制御する制御手段と
を具備することを特徴とする自動撮像装置。
【請求項２】
前記制御手段は、
前記通信手段による前記インターネットとの通信に際して所定の広告情報を含むポータル画面を前記表示手段に表示するように制御する
ことを特徴とする請求項１記載の自動撮像装置。
【請求項３】
前記高速回線に接続され、前記ボックスの周囲画像を撮像する周囲画像撮像手段
を更に具備し、
前記制御手段は、
前記周囲画像撮像手段で撮像した画像を前記高速回線を経由して所定の管理センタに送信する
ことを特徴とする請求項１または２記載の自動撮像装置。
【請求項４】
前記高速回線に接続されるとともに周辺の情報通信端末と無線接続可能な無線アクセスポイント
を更に具備し、
前記周辺の情報端末は、
前記無線アクセスポイントを介して前記インターネットと通信可能な無線ＬＡＮを構成する
ことを特徴とする請求項１乃至３のいずれかに記載の自動撮像装置。
【請求項５】
前記無線ＬＡＮを構成する前記周辺の情報端末情報端末は、
前記無線アクセスポイントを介した前記インターネットとの通信に際して所定の広告情報を含むポータル画面を該情報端末の表示手段に表示するように制御される
ことを特徴とする請求項４記載の自動撮像装置。
【発明の詳細な説明】
【技術分野】
【０００１】
本発明は、自動撮像装置に関し、特に、高速回線を介したインターネット接続機能を有し、インターネットに接続する際に、広告情報を含む所定のポータルサイトにアクセスするとともに、ＷＥＢカメラによる監視画像を、ブロードバンドアクセス回線を介して接続されるインタ−ネット上の管理センタに配信する自動撮像装置に関する。
【背景技術】
【０００２】
従来のネットワーク接続制御機能を有する自動撮像装置に関する技術として、特許文献１に記載された「自動写真撮影装置」がある。
【０００３】
この特許文献１の発明は、被撮影者のプライバシーを保護し、通信手段を介して送信される証明用写真として十分な画質と通信の安定性を確保し、更には、被撮影者の操作が煩雑でない証明写真用に適した自動写真撮影装置を提供することを目的とし、撮影した顔画像情報と身分証明書に記録された顔画像を通信手段を介して所定のサーバに送信する機能を有する自動写真撮影装置であって、顔画像が記録された身分証明書の読み取り手段、撮影手段、通信手段及び被撮影者を収納可能な箱形の撮影室を備えて構成されることを特徴とする。
【０００４】
また、自動撮像装置を中央管理装置等にて一元管理する技術として特許文献２に記載された「自動写真撮影装置、および自動遠隔監視システム」がある。
【０００５】
この特許文献２の発明は、多数の自動写真撮影装置を効率良く遠隔管理するとともに、各自動写真撮影装置のプリント条件等の調節も遠隔管理できるような遠隔管理システムの実現を目的とし、自動写真撮影装置は、写真撮影手段と、撮影された写真をプリントするプリント手段と、これらの手段を制御する制御手段とを備え、一般公衆回線を介して、外部から伝送される制御情報を制御手段に入力するとともに、情報収集手段によって制御手段に入力された管理情報を外部へ伝送する、無線あるいは有線による通信手段を備えたことを特徴とし、さらに、制御手段から出力されるプリント条件に基づいて、プリント手段におけるプリント条件を調節するプリント条件調節手段を備えることによって、プリント手段におけるプリント条件を、一般公衆回線を介して外部から調節可能に構成したことを特徴とする。
【特許文献１】特開２００３−１７７４５９号公報。
【特許文献２】特開平１１−９５３２９号公報。
【発明の開示】
【発明が解決しようとする課題】
【０００６】
上記特許文献１に記載された自動写真撮影装置においては、通信手段の使用目的が、装置の保守管理用のデータ通信に限られたものである。
【０００７】
また、特許文献２に記載された遠隔監視機能は、写真の印刷設定を遠隔にて変更して管理し、自動撮像装置の保守、管理を主目的としている。
【０００８】
最近のインターネット接続における通信速度は飛躍的に進歩し、さらに、通信設備費、通信費は、低コスト化の傾向にある。
【０００９】
特許文献１に記載された通信手段を備えた自動撮像装置において、通信手段は、保守管理データ、更新用パラメータの配信等のデータ通信を行なう目的に留まり、広帯域の通信手段の使用価値を十分に活用できていないといった問題がある。
【００１０】
また、最近では、自動撮像装置の設置場所提供者に関する商品やサービスを宣伝するデザイン塗装を自動撮像装置の外壁面の一部あるいは全面に行ったり、あるいは、宣伝用のポスターを掲載する等の広告活動を行う自動撮像装置が駅構内、店舗に設定されている。
【００１１】
このような広告の手法は、自動撮像装置の利用者を始め、設置場所付近を往来する一般のユーザに対する広告効果があるが、自動撮像措置は、道路に面した店舗の入り口等に設定される場合が多く、屋外広告法等が適用されると、広告宣伝の対象となるサービスあるいは商品等が制限されてしまうといった問題がある。
【００１２】
従って、本発明は、自動撮像装置の設置場所提供者、自動撮像装置の運用管理者が提携した広告主に関するインターネット広告を（予め登録したＵＲＬ（ＵＮＩＦＯＲＭ  ＲＥＳＯＵＣＥ  ＬＯＣＡＴＥＲ）を初回アクセス時に表示する機能を備えた）インターネット接続機能と、ＷＥＢカメラによるインターネット経由での遠隔監視制御機能を備えた自動撮像装置の提供を目的とする。
【課題を解決するための手段】
【００１３】
上記目的を達成するために、請求項１の発明は、ボックス内の被写体をボックス内に設けられた撮像手段で撮像した画像を印刷して写真取出口から排出する自動撮像装置において、高速回線を経由してインターネットと通信を行う通信手段と、ボックス内に設けられ、通信手段によるインターネットとの通信により取得した画像を表示する表示手段と、ユーザ操作を入力する操作入力手段と、操作入力手段によるユーザ操作の入力に基づき前記通信手段による通信および前記表示手段による表示を制御する制御手段とを具備することを特徴とする。
【００１４】
また、請求項２の発明は、請求項１の発明において、制御手段は、通信手段による前記インターネットとの通信に際して所定の広告情報を含むポータル画面を表示手段に表示するように制御することを特徴とする。
【００１５】
また、請求項３の発明は、請求項１または２記載の発明において、高速回線に接続され、ボックスの周囲画像を撮像する周囲画像撮像手段を更に具備し、制御手段は、周囲画像撮像手段で撮像した画像を前記高速回線を経由して所定の管理センタに送信することを特徴とする。
【００１６】
また、請求項４の発明は、請求項１乃至３のいずれかに記載の発明において、高速回線に接続されるとともに周辺の情報通信端末と無線接続可能な無線アクセスポイントを更に具備し、周辺の情報端末は、無線アクセスポイントを介してインターネットと通信可能な無線ＬＡＮを構成することを特徴とする。
【００１７】
また、請求項５の発明は、請求項４記載の発明において、無線ＬＡＮを構成する周辺の情報端末は、無線アクセスポイントを介したインターネットとの通信に際して所定の広告情報を含むポータル画面を情報端末の表示手段に表示するように制御されることを特徴とする。
【発明の効果】
【００１８】
本発明の自動撮像装置によれば、広告情報含むＷＥＢページを利用者毎の初回のインターネット接続サービス提供時に表示する手段と、ＷＥＢカメラを使用した遠隔監視手段を有した構成とすることによって以下の効果を奏する。
【００１９】
（効果１）
提携した広告主が意図したインターネット広告を自動撮像装置の利用者に対して個別に行うことができるので、自動撮像装置の設置場所提供者、自動撮像装置の販売業者、あるいは、自動撮像装置のリース業者それぞれに対して、インターネット広告といったあらたな収益手段を提供することができる。
【００２０】
さらに、広告主においては、バナー広告の表示回数、クリック回数、会員登録件数等、インターネット広告の特性を利用して、広告実績を定量的なデータとして集計することが可能となる。
【００２１】
（効果２）
インターネット接続による通信手段を、保守、管理用として利用する以外に、自動撮像装置の利用者に対して、インターネット接続サービスを行なうといった、通信手段に対しての利用価値を自動撮像装置に付加することができる。
【００２２】
（効果３）
インターネット経由でのオンライン集中遠隔監視が可能となるので、各地に点在する自動撮像装置の管理、保守コストを削減するとともに、自動撮像装置の不正使用、破壊行為等を抑止する等、自動撮像装置のセキュリティを強化することができる。
【発明を実施するための最良の形態】
【００２３】
本発明の自動設像装置の実施例について、添付図面を参照しながら説明する。
【００２４】
図１は、本発明の自動撮像装置が提供する従来の証明写真の自動撮像販売サービス以外に、あらたに提供可能な各種サービスのの概要を示したイメージ図である。
【００２５】
図１において、自動撮像装置１００は、高速通信が可能なアクセス回線３００によってインターネットサービスプロバイダ（以後、ＩＳＰと称す）を介してインターネット９００接続する通信手段と、インターネット９００を介して接続する管理センタ７００に対して撮影した監視画像を配信するＷＥＢカメラ４００と、自動撮像装置１００の周辺に存在するモバイル端末２０１が、無線ＬＡＮ経由でインターネットに接続するための無線アクセスポイント１０８を有する。
【００２６】
これにより、自動撮像装置１００は、自動撮像装置１００の撮像ボックス１１２内に配設された操作／表示部１０４からのインターネット接続サービス（図１の２２）、モバイル端末２０１のユーザに対する無線アクセスポイント１０８を経由したインターネット接続サービス（図１の２１）を新たに提供し、さらには、自動撮像装置１００をインターネット９００を介して接続する管理センタ７００においては、インターネット９００経由での自動撮像装置１００に対する遠隔監視サービスを（図１の２３）を提供する。
【００２７】
以下、本発明の自動撮像装置１００によって、従来の写真の撮影、販売サービス以外に、あらたに提供可能な「インターネット接続サービス」、「無線ＬＡＮ経由によるインターネット接続サービス」、「遠隔監視サービス」に関するそれぞれの実施例を順に示して説明する。
【実施例１】
【００２８】
最初に、「インターネット接続サービス」について説明する。
【００２９】
図２は、自動撮像装置１００が「インターネット接続サービス」を提供するための自動撮像装置１００の制御構成と、関連する機器との接続構成を示した図である。
【００３０】
図２において、自動撮像装置１００は、従来の写真の自動撮影販売制御に関する主制御部１０１、記憶部１０２、撮像ユニット１１０、入出力インターフェース１０３、操作／表示部１０４と、インターネット９００への接続に必要な制御構成として、回線終端装置１０７、ＬＡＮインターフェース１０５を有する。
【００３１】
操作／表示部１０４は、「サービス選択メニュー」を始め自動撮像装置１００が提供するサービスを利用するための各種操作画面を表示するための表示装置と、キーボード、マウス等の入力装置と、写真の撮像操作を行う各種ボタンを有して構成される入出力装置である。
【００３２】
なお、操作／表示部１０４の表示装置は、タッチパネル式にして、画面上でのタッチ操作を検出することも可能である。
【００３３】
また、操作／表示部１０４に表示される各種サービスを利用するための操作画面は、記憶部１０２に記憶されたサービス提供制御プログラムを制御部１０１により実行することによって制御される。
【００３４】
また、主制御部１０１は、撮像ユニット１１０、入出力インターフェース１０３を介して接続される操作／表示部１０４をそれぞれ制御して、撮像ボックス１１２内の被写体を撮影し、撮影した画像を写真として印刷し、印刷した写真に対する課金制御を行なう。
【００３５】
また、主制御部１０１は、記憶部１０２に記憶されたＷＥＢブラウザのプログラムを起動し、ＬＡＮインターフェース１０５、回線終端装置１０７を介して接続されるインターネット９００上のＷＥＢサーバ８００にアクセスしてＷＥＢページの内容を操作／表示部１０４に出力する。
【００３６】
撮像ユニット１１０は、自動撮像装置１００の撮像ボックス１１２内の被写体を撮影するデジタルカメラ（図示せず）、撮影時に被写体を照射する照明部（図示せず）、撮影した画像データを処理して写真を印刷するプリンタ（図示せず）、印刷した写真の代金を回収する課金装置（図示せず）を有し、接続された主制御部１０１からの指示によって従来の証明写真の撮影、写真のプリント、プリントした写真に対する課金を行なう。
【００３７】
アクセス回線３００は、ＩＳＰ５００に接続して広帯域でのデータ通信（ＡＤＳＬ、Ｂ−ＩＳＤＮ、ＦＴＴｘ等）を行なうための電話回線、ＩＳＤＮ回線として使用されるメタリックケーブル、もしくは、光ファイバ等、発呼を要する通信回線である。
【００３８】
回線終端装置１０７は、アクセス回線３００と自動撮像装置１００側に敷設されるＬＡＮケーブル１０９にそれぞれ接続して自動撮像装置１００内に収容され、アクセス回線３００における信号形式と、ＬＡＮケーブル１０９における信号形式に基づいて信号の相互変換処理を行う。
【００３９】
また、回線終端装置１０７は、アクセス回線３００を介して接続されるＩＳＰ５００との間において、ＰＰＰ（Ｐｏｉｎｔ  ｔｏ  Ｐｏｉｎｔ  Ｐｒｏｔｏｃｏｌ）を拡張した通信プロトコルによるＩＳＰ５００への接続機能、ＩＳＰ５００との間における認証機能、アドレス変換機能（ＮＡＴ（Ｎｅｔｗｏｒｋ  Ａｄｄｒｅｓｓ  Ｔｒａｎｓｌａｔｉｏｎ）等）、ファイアフォール機能を有する。
【００４０】
ＩＳＰ５００は、回線終端装置１０７との間にてセッションが確立されると、回線終端装置１０７を含む自動撮像装置１００をインターネット９００に常時接続可能な状態にする。
【００４１】
認証サーバ６００は、自動撮像装置１００が提供するインターネット接続サービスを利用するユーザを事前に登録して管理し、登録したユーザに対しては、インターネットサービスを利用するための、ＩＤ、パスワード等の認証情報を発行する。
【００４２】
次に、自動撮像装置１００における「インターネット接続サービス」、「証明写真販売サービス」を提供するサービス提供制御について説明する。
【００４３】
図３は、サービス提供制御の手順を示すフローチャートである。
【００４４】
図３において、自動撮像装置１００の撮像ボックス１１２内に設けられたセンサ（図示せず）にて撮像ボックス１１２内への利用者の入場を検出すると、制御部１０１は、サービス提供制御プログラムを起動して「サービス選択画面（図４の３１）」を操作／表示部１０４に表示する（Ｓ１０１）。
【００４５】
「サービス選択画面（図４の３１）」に表示された「証明写真サービス（図４の３１１）」をユーザが選択した入力操作をサービス提供制御プログラムが検出すると（Ｓ１０２ＮＯ）、サービス提供制御プログラムは、制御部１０１にて、証明写真の販売制御プログラムを起動し、証明写真の撮影、販売に必要なユーザ操作を誘導するための操作／表示部１０４における画面表示制御を行い、撮像ユニット１１０に対しては、デジタルカメラ（図示せず）のフォーカス制御、シャッター制御、照明制御を行なって被写体を撮影し、撮影した画像データを処理してプリンタにて写真を印刷し、プリントした写真に対する課金制御を行なって、従来における証明写真サービスの制御を行なう（Ｓ１１０）。
【００４６】
一方、「サービス選択画面（図４の３１）」に表示された「インターネット接続サービス（図４の３１２）」をユーザが選択した操作をサービス提供制御プログラムが検出すると（Ｓ１０２ＹＥＳ）、サービス提供制御プログラムは、ＷＥＢブラウザを起動して、予め設定したＵＲＬ宛にＨＴＴＰ（Ｈｙｐｅｒ  Ｔｅｘｔ  Ｔｒａｎｓｆｅｒ  Ｐｒｏｔｏｃｏｌ）リクエストを送信する。
【００４７】
ＨＴＴＰリクエストを受信したＷＥＢサーバ８００は、認証サーバ６００に対してユーザ認証の依頼を行い、認証サーバ６００は、「ログイン画面（図４の３２）」を操作／表示部１０４に表示するＨＴＭＬ（ＨｙｐｅｒＴｅｘｔ  Ｍａｒｋｕｐ  Ｌａｎｇｕａｇｅ）を含むＨＴＴＰレスポンスを作成してＷＥＢブラウザに送信する（Ｓ１０３）。
【００４８】
ユーザが「ログイン画面３２」のＩＤ入力領域３２１、パスワード入力領域ＩＤ３２２にてログイン操作を行うと、ＷＥＢブラウザは、入力データを暗号化して認証サーバ６００に送信し、認証サーバ６００はＷＥＢブラウザから送信された入力データと、予めユーザ登録時に作成された認証データに基づいてユーザ認証を行い、ログインユーザを認証するか否かを判断する（Ｓ１０４）。
【００４９】
ログインユーザが認証されない場合（Ｓ１０５ＮＯ）、認証サーバ６００は、認証エラーを通知するためのログインエラー画面（図示せず）を表示するＨＴＭＬを設定したＨＴＴＰレスポンスをＷＥＢブラウザに送信し、ＷＥＢブラウザは、ログインエラー画面を操作／表示部１０４に出力する（Ｓ１１１）。
【００５０】
ユーザは、再度、ユーザＩＤおよびパスワードの入力を行なってログイン操作を行なうか、もしくは、インターネット接続サービスの利用を中止して終了する操作を行なうかを選択する（Ｓ１１２）。
【００５１】
ユーザがログイン操作を中止し（Ｓ１１２ＹＥＳ）、尚且つ、自動撮像装置１００が引き続き「証明写真の販売サービス」もしくは「インターネット接続サービス」の提供が可能な状態である場合（Ｓ１０９ＮＯ）、サービス提供制御プログラムは、Ｓ１０１の処理に戻り「サービス選択画面（図４の３１）」を操作／表示部１０４に再表示し、次のユーザ操作を監視する。
【００５２】
一方、ログインユーザが認証された場合（Ｓ１０５ＹＥＳ）、認証サーバ６００は、認証を依頼したＷＥＢサーバ８００に対して、ログインユーザが認証されたことを通知し、ＷＥＢサーバ８００は、予め指定されたＷＥＢページの内容を表示するＨＴＴＰレスポンスをＷＥＢブラウザに送信し、ＷＥＢブラウザは、受信したＨＴＴＰレスポンスから抽出したＨＴＭＬに基いてＷＥＢページの表示処理を行なう（Ｓ１０６）。
【００５３】
ポータル画面として予め指定されたＷＥＢページが操作／表示部１０４に表示されると、ユーザは、画面のタッチ操作、もしくは、操作／表示部１０４に備え付けられたキーボードあるいはマウス等の入力装置を使用してインターネット接続サービスの利用を開始する（Ｓ１０７）。
【００５４】
Ｓ１０７の処理において、サービス提供制御プログラムは、インターネット接続サービス利用開始後、利用者の撮像ボックス１１２内からの立ち去りの検出、もしくは、長時間の占有を防止するための対策として、インターネット接続サービスの提供開始時に、利用経過時間を監視するタイマプロセスを起動して利用制限時間の超過を同時に監視する。
【００５５】
タイマプロセスからのタイムアウト検出による割り込み通知、もしくは、操作／表示部１０４に表示した利用者のインターネット接続サービス利用の中止、終了操作（図４の３２における中止ボタン３２４の選択操作）を検出すると（Ｓ１０８ＹＥＳ）、サービス提供制御プログラムは、ＷＥＢブラウザを終了し、自動撮像装置１００においてサービスが提供可能な状態の間（Ｓ１０９ＮＯ）、サービス提供制御プログラムは、「サービス選択画面３１」にて利用可能なサービスを再度操作／表示部１０４に表示し（Ｓ１０１に戻る）、利用者による次のサービス選択操作を監視する。
【００５６】
よって、自動撮像装置１００は、「インターネット接続サービス」を選択した自動撮像装置１００の利用者に対して、ログイン操作によるユーザ認証後に最初のインターネットアクセス画面を、自動撮像装置１００の設置場所提供者、あるいは、運用管理会社等が提携した広告主に関連するインターネット広告を含んだＷＥＢページ（図４の３２）を表示することができる。
【００５７】
なお、認証サーバ６００は、ユーザ毎に発行したＩＤ、パスワードに対して有効期限や１日のログイン回数を制限する制御情報を付与して管理し、ユーザ認証を行なう際は、付与した制御情報を含んだログインユーザの認証処理を行なって、認証するか否かを判断する構成にしてもよい。
【００５８】
また、Ｓ１０９の判定処理においては、自動撮像装置１００のサービスの提供時間の開始、終了時間をサービス毎に設けて記憶部１０２に記憶して管理し、サービス提供制御プログラムは、サービスの提供が可能な時間帯かどうかを判断し、利用可能なサービスメニューのみを利用者が選択するようにメニュー画面の表示制御を行なう構成にしてもよい。  また、インターネット広告に関するＷＥＢページを管理するＷＥＢサーバ８００においては、インターネット広告を含んだＷＥＢページの表示回数、あるいは、会員登録実績などを集計する手段、さらには、集計結果を所定の管理センタ７００宛に配信する手段をＷＥＢサーバ８００に追加して、提携した広告主がインターネット広告の実績を集計するようにしてもよい。
【００５９】
また、インターネット広告は、自動撮像装置１００が提供する「インターネット接続サービス」を選択した利用者に対してのみ行う構成としたが、これ以外に、図３のステップＳ１０１におけるサービス選択画面（図４の３１）の表示処理において、ＷＥＢブラウザが所定のＵＲＬに定期的にアクセスして取得した広告情報表示領域（図４の３１−１の３１３）、さらには、その広告情報の詳細を表示するための詳細表示ボタン（図４の３１−１の３１４）等を設けたレイアウト）に変更して、自動撮像装置１００の利用者全員に対して広告表示を行うようにしてもよい。
【実施例２】
【００６０】
次に、自動撮像装置１００のインターネット接続手段を利用した別の提供サービスの例として、「無線ＬＡＮ経由によるインターネット接続サービス」について説明する。
【００６１】
図５は、無線アクセスポイント１０８を有する自動撮像装置１００の第２の制御構成と、無線アクセスポイント１０８経由でのインターネット接続サービスを提供するための各装置、および、各装置の接続構成を示した図である。
【００６２】
自動撮像装置１００は、図２に示した構成に対して、無線アクセスポイント１０８をさらに追加した構成を有する。
【００６３】
図５の自動撮像装置１００において、無線アクセスポイント１０８は、ルータ機能、ファイヤーウォール機能を有し、有線ＬＡＮポートによってＬＡＮケーブル１０９を介してＬＡＮインタフェース１０５に接続する。
【００６４】
また、無線通信規格（ＩＥＥＥ８０２．１１等）に準拠した無線通信ポートを有し、同じ無線通信規格に対応した無線通信手段（無線ＬＡＮカード等）を具備したモバイル端末２０１（ノートパソコン等）と無線通信を行なう。
【００６５】
ここで、モバイル端末２０１と無線アクセスポイント１０８との間においては、（ＩＥＥＥ８０２．１１ａ等）の無線通信規格に基づいて無線通信路が確立され、無線通信路においては、通信データの暗号化が行なわれる。
【００６６】
また、モバイル端末２０１の利用者に対する認証は、無線通信区間における８０２．１ｘなどの認証規格と、無線アクセスポイント１０８と認証サーバ６００間における認証規格（ＲＡＤＩＵＳ等）とを組み合わせた認証処理が行われる。
【００６７】
なお、認証サーバ６００は、無線アクセスポイント１０８を介したインターネット接続サービスを利用するユーザに対して、ログイン用のＩＤ、パスワード、さらに、要求されるセキュリティのレベルによっては、認証局が発行する証明書によって、認証サーバ、モバイル端末双方の認証が行なわれる。
【００６８】
また、無線アクセスポイント１０８は、無線通信路が確立されたモバイル端末２０１のブラウザから最初に送信されたインターネットへのＨＴＴＰリクエストを検出すると、所定のＵＲＬに強制的にアクセスするためのＨＴＴＰレスポンスをモバイル端末２０１に返す手段を有する。
【００６９】
これにより例えば、認証サーバ６００のログインページを自動的に表示するように制御することができる。
【００７０】
次に、図５に示した自動撮像装置１００の第２の構成において、モバイル端末２０１の利用者が無線アクセスポイント１０８を介してインターネット接続サービスを利用する時の手順について説明する。
【００７１】
図６は、モバイル端末２０１が、無線ＬＡＮ２００経由で自動撮像装置１００のインターネット接続サービスを利用するための制御手順を示したフローチャートである。
【００７２】
モバイル端末２０１は、無線アクセスポイント１０８との間において無線通信区間のセッションが確立されると、モバイル端末２０１のＷＥＢブラウザ（以後、実施例２中の記載においては、「ＷＥＢブラウザ」と略す）は、インターネット９００上の所望のＵＲＬにアクセスするためのＨＴＴＰリクエストを無線アクセスポイント１０８に送信する（Ｓ２０１）。
【００７３】
無線アクセスポイント１０８は、無線通信区間におけるセッション確立後にＷＥＢブラウザが最初に送出するＨＴＴＰリクエストを検出し（Ｓ２０２）、所定のＵＲＬ（図２の場合、例えば認証サーバ６００へのログイン用ＷＥＢページのＵＲＬ）にアクセス先を変更して通知するＨＴＴＰレスポンスを生成して、ＷＥＢブラウザ宛てに折り返し送信する（Ｓ２０３）。
【００７４】
ＷＥＢブラウザは、無線アクセスポイント１０８から折り返して受信したＨＴＴＰレスポンスにロケーション情報として設定された認証サーバ６００のログイン用ＵＲＬにアクセスし直すＨＴＴＰリクエストを無線アクセスポイント１０８に送信し（Ｓ２０４）、無線アクセスポイント１０８は、認証サーバ６００にＨＴＴＰリクエストを転送する。
【００７５】
認証サーバ６００は、無線アクセスポイント１０８から転送されたＨＴＴＰリクエストを受信し、認証サーバ６００にて作成したログインフォームを出力するためのＨＴＭＬを設定したＨＴＴＰレスポンスを、無線アクセスポイント１０８経由にてＷＥＢブラウザに送信し、ＷＥＢブラウザは、ログイン用入力フォーム（例えば図７の６１）をモバイル端末２０１の表示部（図示せず）に出力する（Ｓ２０５）。
【００７６】
ＷＥＢブラウザは、モバイル端末２０１の利用者によるログイン操作を検出して、ログイン用入力フォームにおける入力データを暗号化して認証サーバ６００に送信し、認証サーバ６００は、送信したＩＤ、パスワードを含む入力情報に基づいて認証サーバ６００がログインユーザの認証処理を行なう（Ｓ２０６）。
【００７７】
ログインユーザが認証されると（Ｓ２０６ＹＥＳ）、認証サーバ６００は、インターネット広告を含む所定のＷＥＢサイトにアクセスを指示するＨＴＴＰレスポンスをＷＥＢブラウザに送信する（Ｓ２０７）。
【００７８】
ＷＥＢブラウザは、受信したＨＴＴＰレスポンスに設定された所定のＵＲＬを管理するＷＥＢサーバ８００に対してＨＴＴＰリクエストを送信し、ＷＥＢサーバ８００は指定されたＷＥＢページの内容（図７の６２）を表示するＨＴＭＬを設定したＨＴＴＰレスポンスを生成してＷＥＢブラウザに送信する（Ｓ２０８）。
【００７９】
ＷＥＢブラウザは、受信したＨＴＴＰレスポンスに設定されたＨＴＭＬに基づいてＷＥＢページの内容をモバイル端末２０１の表示部（図示せず）に出力する（Ｓ２０９）。
【００８０】
以後、モバイル端末２０１の利用者は、ＷＥＢ検索サイトなどを利用して所望のＷＥＢページにアクセスする等のインターネット接続サービスを利用する（Ｓ２１０）。
【００８１】
認証サーバ６００は、ＩＳＰ５００以外の別の提携先のＩＳＰに加入したユーザに対しても認証処理を行なうように構成し、ＩＳＰに加入したユーザに対しても、通常のログイン操作を行なって、無線アクセスポイント１０８経由でのインターネット接続サービスを利用できるようにしても良い。
【００８２】
また、無線アクセスポイント１０８は、「無線アクセスポイント経由でのインターネット接続サービス」の提供開始、終了時刻等を設定して管理し、ＷＥＢブラウザからのインターネットアクセスが可能な時間帯を制御するようにしてもよい。
【００８３】
また、認証サーバ６００においては、モバイル端末２０１のユーザ毎に発行した、ユーザＩＤ、パスワードに対して、有効期限、利用回数、利用上限時間等の制限事項を併せて管理する構成を追加し、制限情報を含んだユーザ認証を行なうようにしてもよい。
【００８４】
また、認証サーバ６００がＷＥＢブラウザにて表示させるログイン用入力フォームのＨＴＭＬを生成する際、例えば、所定の広告情報表示領域（図７の６４）を含んだログイン画面のレイアウト（図７の６３））となるように構成にしてもよい。
【実施例３】
【００８５】
次に、本発明の自動撮像装置１００における、インターネット接続手段、ＷＥＢカメラ４００による監視領域（自動撮像装置１００の撮影ボックス１１２内および自動撮像装置１００の周辺等）の撮影手段、画像の配信手段を利用して提供される遠隔監視サービスについて説明する。
【００８６】
図８は、自動撮像装置１００および自動撮像装置１００に設置されたＷＥＢカメラ４００を、インターネット９００経由で接続する管理センタ７００側から遠隔制御して管理する場合の自動撮像装置１００の制御構成および、ＷＥＢカメラ４００、関連する周辺機器の接続構成を示した図である。
【００８７】
図８において、ＷＥＢカメラ４００は、監視領域を撮影した静止画もしくは動画を、所定の圧縮方式（ＪＰＥＧ（Ｊｏｉｎｔ  Ｐｈｏｔｏｇｒａｐｈｉｃ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ  ２）等）に基いて圧縮画像ファイルを生成し、ＨＴＴＰ等のプロトコルに基いて画像ファイルを管理センタ７００宛に配信するＷＥＢサーバ機能を有する。
【００８８】
ＷＥＢカメラ４００は、管理センタ７００からインターネット９００経由で受信する「制御コマンド」によって、監視領域の撮影開始、終了を制御し、カメラアングルの調整、ズーム倍率の調整、照明の調整を行なうとともに、撮影画像のサイズ、監視領域の撮影間隔、配信時期を制御するためのパラメータを更新する機能を有する。
【００８９】
管理センタ７００は、管理対象となる自動撮像装置１００の識別情報、コンピュータ名、アドレス情報と、インターネット９００を介して定期的に取得される制御パラメータの設定内容等、自動撮像装置１００を一元管理するために必要な情報をデータベース（「画像データベース７０１」、「ＷＥＢカメラ管理用データベース７０２」、「自動撮像装置管理用データベース７０３」）に登録して管理する。
【００９０】
また、管理センタ７００は、自動撮像装置１００に設置される各ＷＥＢカメラ４００に対しても、自動撮像装置１００と同様に、設置された自動撮像装置１００の識別情報とともに関連付けが行なわれ、ＷＥＢカメラ４００の識別情報、稼動状態、現在設定された制御パラメータ等を「ＷＥＢカメラ管理用データベース７０２」に登録して管理する。
【００９１】
「ＷＥＢカメラ管理用データベース７０２」にて管理される各ＷＥＢカメラ４００の状態情報（オンライン、オフライン、撮影中、制御パラメータの設定内容等）、「自動撮像装置管理用データベース７０３」にて管理される自動撮像装置の状態情報は、管理センタ７００から送信される問い合わせメッセージ、もしくは、各ＷＥＢカメラ４００側から管理センタ７００宛に配信される通知メッセージにて収集して管理される。
【００９２】
操作端末７０４は、ネットワークにて管理センタ７００に接続し、管理センタ７００を経由したデータベース（「画像データベース７０１」、「ＷＥＢカメラ管理用データベース７０２」、「自動撮像装置管理用データベース７０３」）へのアクセス手段、および、遠隔監視制御プログラムによる管理センタ７００を介したＷＥＢカメラ４００の遠隔制御を行なう。
【００９３】
遠隔監視制御プログラムは、管理センタ７００がインターネット９００を介して接続して管理する自動撮像装置１００に設置された各ＷＥＢカメラ４００に対して、監視領域の撮影の開始、もしくは、終了を指示する制御コマンドの送信、ＷＥＢカメラ４００から配信される監視画像のリアルタイム表示、配信された画像ファイルのデータベース登録、画像データベース７０１に登録した画像ファイルの再生を行なう。
【００９４】
さらに、遠隔監視制御プログラムは、管理センタ７００からインターネット９００経由でＷＥＢカメラ４００に「制御コマンド」を送信し、監視領域の撮影開始、終了制御、カメラアングル等を遠隔制御したり、撮影画像のデータサイズ、監視領域の撮影間隔、配信時期等を制御するための「制御パラメータ」の更新機能を有する。
【００９５】
次に、図８に示した管理センタ７００に接続した操作端末７０４によってインターネット９００を介したＷＥＢカメラ４００に対する遠隔制御の流れについて説明する。
【００９６】
図１０は、操作端末７０４の遠隔監視制御プログラムによる自動撮像装置１００の遠隔監視制御の手順を示したフローチャートである。
【００９７】
遠隔監視制御プログラムを起動すると、「監視画像表示（図９の９１２）」「監視画像再生ボタン（図９の９１３）」「カメラ操作ボタン（図９の９１４）」等の各遠隔監視機能の選択ボタン、ＷＥＢカメラ管理用データベース７０２に現在登録して管理されているＷＥＢカメラ４００の属性情報に基づいて作成した一覧画面（図９の９１１）を含む遠隔監視メイン画面９１が操作端末７０４の表示部（図示せず）に表示され（Ｓ３０１）、操作端末７０４のオペレータは、所望する管理機能を画面から選択する。
【００９８】
遠隔監視制御プログラムは、操作端末７０４におけるオペレータの入力操作を検出して遠隔監視制御の処理種別を解析する（Ｓ３０２）。
【００９９】
遠隔監視メイン画面（図９の９１）において、「カメラ操作ボタン９１４」が選択された場合（Ｓ３０３ＹＥＳ）、遠隔監視制御プログラムは、カメラ操作画面（図９の９３）を表示し、オペレータによるカメラ操作（例えば、「パン、チルト調節（図９の９３１）」、「ズーム倍率の調節（図９の９３２）」）に対応した制御コマンドを生成して、選択されたＷＥＢカメラ４００のアドレス宛に送信する（Ｓ３０４）。
【０１００】
ＷＥＢカメラ４００は、受信した制御コマンドから操作種別を解析し（Ｓ３０５）、例えば、「カメラアングルの変更」を指示する制御コマンドである場合（Ｓ３０６ＹＥＳ）は、制御コマンドにて指定されたパン、チルト角に変更するための制御信号を生成してＷＥＢカメラ４００のアングルを調節する制御部に出力する（Ｓ３０７）。
【０１０１】
また、解析した遠隔監視制御の処理種別が、監視領域を撮影する際の画像サイズや解像度の変更、画像の撮影間隔、配信時期等、ＷＥＢカメラ４００の記憶手段（図示せず）に記憶して管理される「制御パラメータの更新」を指示する処理種別である場合（Ｓ３０８ＹＥＳ）、遠隔監視制御プログラムは、制御用パラメータの更新を指示する制御コマンドと、更新用データをＷＥＢカメラ４００宛に送信し、ＷＥＢカメラ４００は、受信した制御用パラメータの更新用データにて記憶手段の制御パラメータを更新する（Ｓ３０９）。
【０１０２】
制御コマンドによるＷＥＢカメラ４００の操作、もしくは、制御パラメータの更新処理が完了すると、ＷＥＢカメラ４００は、制御コマンドに対する応答を操作端末７０４に送信する（Ｓ３１０）。
【０１０３】
遠隔監視メイン画面（図９の９１）において、監視領域の撮影開始を要求する操作を検出した場合（Ｓ３１１ＹＥＳ）、遠隔監視制御プログラムは、監視領域の撮影の開始および、撮影した画像の配信開始を指示する制御コマンドを指定されたＷＥＢカメラ４００宛に送信する（Ｓ３１２）。
【０１０４】
ＷＥＢカメラ４００は、遠隔制御コマンドの受信をトリガとして監視領域の撮影を開始し（Ｓ３１３）、撮影した監視画像を符号化した画像データを所定の圧縮形式にて圧縮するともに、所定のパケットサイズに分割して、作成したパケットを操作端末７０４宛に順次配信する（Ｓ３１４）。
【０１０５】
遠隔監視制御プログラムは、復元した圧縮画像ファイルと圧縮画像ファイルを配信したＷＥＢカメラ４００の属性情報とを含んだ登録用データを作成して画像データベース７０１に登録し（Ｓ３１５）、撮影開始を指示したＷＥＢカメラ４００から配信されるパケットを復元して得られた画像ファイルを再生して操作端末７０４の表示部（例えば、図９の９２の９２１、９２２等の表示領域）に出力する（Ｓ３１６）。
【０１０６】
遠隔監視メイン画面（図９の９１）において、「監視画像の再生（図９の９１）」が選択された場合（Ｓ３１７ＹＥＳ）、遠隔監視制御プログラムは、指定された画像ファイルを画像データベース７０１から読み出して再生し、再生画像を「リモート監視画面（図９の９２）」として操作／表示部端末７１０に表示する（Ｓ３１８）。
【０１０７】
なお、監視領域の撮影開始を指示したＷＥＢカメラ４００に対し、監視領域の撮影を停止する制御コマンドをＷＥＢカメラ４００に送信して、監視画像のモニタリングを中止する処理の説明は省略する。
【０１０８】
また、遠隔監視制御を行なう場合に、一回の操作において、複数台のＷＥＢカメラを同時に制御して、各ＷＥＢカメラ４００から配信される撮影画像をそれぞれ表示し（例えば、図９の９４）、複数の監視領域を同時に監視したり、各ＷＥＢカメラ４００に対する制御パラメータの変更要求を一回の操作にて各ＷＥＢカメラ４００それぞれに行なう制御構成にしてもよい。
【０１０９】
また、セキュリティ対策として、ＷＥＢカメラ４００と、管理センタ７００との間の通信路を暗号化したり、また、ＷＥＢカメラ４００に対する遠隔操作時には、アクセス操作の承認を所定の管理情報に基づいて行う認証手段を追加してもよい。
【産業上の利用可能性】
【０１１０】
本発明の自動撮像装置は、以下の自動撮像装置において利用可能である。
【０１１１】
広告機能を有する自動撮像装置において、自動撮像装置の設置場所提供者、運用管理者等が提携する広告主が意図した広告内容を、自動撮像装置の利用者に対して個別で行い、さらには、広告の訴求効果を定量的に評価するための情報採取が求められる自動撮像装置において利用可能である。
【０１１２】
また、複数の自動撮像装置を運用して管理するための費用を低減化し、自動撮像装置にて発生するトラブルの早期検出と、不正使用行為を抑止することが求められる自動撮像装置において利用可能である。
【図面の簡単な説明】
【０１１３】
【図１】本発明の自動撮像装置によって提供される各種サービスの概要を示したイメージ図である。
【図２】本発明の自動撮像装置の第１の実施例として、インターネット接続手段を有する自動撮像装置の制御構成を示したブロック図である。
【図３】図２に示した自動撮像装置におけるサービス提供制御の流れを示すフローチャートである。
【図４】図２に示した自動撮像装置の操作／表示部に表示される画面イメージである。
【図５】本発明の自動撮像装置の第２の実施例として、無線アクセスポイントを設置した自動撮像装置の制御構成を示すブロック図である。
【図６】自動撮像装置に設置された無線アクセスポイントを介してモバイル端末からインターネット接続サービスを利用する場合の処理手順を示すフローチャートである。
【図７】モバイル端末の表示部に表示されるログイン画面、インターネットへの初回アクセス時に表示されるＷＥＢ画面の例を示した画面イメージである。
【図８】本発明の自動撮像装置の第３の実施例として、インターネット接続手段およびＷＥＢカメラを設置した自動撮像装置の制御構成を示すブロック図である。
【図９】管理センタに接続された操作端末に表示される遠隔監視制御のための操作画面の例を示した画面イメージである。
【図１０】管理センタの操作端末からインターネットを介して自動撮像装置に設定されたＷＥＢカメラを遠隔監視制御する際の処理手順を示すフローチャートである。
【符号の説明】
【０１１４】
１００    自動撮像装置    
１０１    主制御部    
１０２    記憶部    
１０３    入出力インターフェース    
１０４    操作／表示部    
１０５    ＬＡＮインターフェース    
１０６    ルータ
１０７    回線終端装置    
１０８    無線アクセスポイント    
１０９    ＬＡＮケーブル
１１０    撮像ユニット    
１１２    撮像ボックス
４００    ＷＥＢカメラ    
３１    サービス選択画面
３１１    証明写真選択部
３１２    インターネット接続サービス選択部
３１３    広告情報表示領域
３２    ログイン画面
３２１    ＩＤ入力領域
３２２    パスワード入力領域
３２３    広告情報表示領域
３２４    中止ボタン
３２５    接続開始ボタン
９１    遠隔監視メイン画面    
９１１    ＷＥＢカメラ一覧    
９１２    監視画像表示ボタン
９１３    監視画像再生ボタン
９１４    カメラ操作ボタン
９２、９４    リモート監視画面
９２１    ボックス内監視画像表示領域
９２２    周囲監視画像表示領域
９３    カメラ操作画面
９３１    カメラアングル調節領域
９３２    ズーム倍率調節領域
９３３    カメラ調整実行ボタン
９３４    撮影映像確認表示領域
２００    無線ＬＡＮ    
２０１    モバイル端末
３００    アクセス回線    
５００    ＩＳＰ    
６００    認証サーバ    
７００    管理センタ    
７０１    画像データベース
７０２    ＷＥＢカメラ管理用データベース    
７０３    自動撮像装置管理用データベース    
７０４    操作端末    
８００    ＷＥＢサーバ    
９００    インターネット    
２１    無線ＬＡＮインターネット接続サービス
２２    インターネット接続サービス
２３    遠隔監視制御サービス
【図１】
2006054752.tif 000003
【図２】
2006054752.tif 000004
【図３】
2006054752.tif 000005
【図４】
2006054752.tif 000006
【図５】
2006054752.tif 000007
【図６】
2006054752.tif 000008
【図７】
2006054752.tif 000009
【図８】
2006054752.tif 000010
【図９】
2006054752.tif 000011
【図１０】
2006054752.tif 000012